【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
２枚以上のシートを複数箇所で線状に接合して形成された複数個の筒状袋からなるエアセルと、
一方の前記シートに接合されて各前記エアセルの前記筒状袋の内部を上下に分離するように形成された吊部と、
前記エアセルの筒長手方向の両端部を閉じる閉端部と、
を有することを特徴とするエアセルユニット。
【請求項２】
２枚以上のシートを複数箇所で線状に接合して形成された複数個の筒状袋からなるエアセルと、
一方の前記シートに接合されて各前記エアセルの前記筒状袋の内部に配置された吊部と、
前記エアセルの筒長手方向の両端部を閉じる閉端部と、
を有し、
前記筒状袋における前記吊部の上方の気室と前記吊部の下方の気室とは、相互に連通していることを特徴とするエアセルユニット。
【請求項３】
前記吊部には、前記上方の気室と前記下方の気室とを連通させる孔が形成されている請求項２に記載のエアセルユニット。
【請求項４】
１枚の吊部用シートを間に挟んで２枚のシートを複数箇所で線状に接合して形成された複数個の筒状袋と、
前記筒状袋の筒長手方向の両端部を閉じる閉端部と、
を有することを特徴とするエアセルユニット。
【請求項５】
前記筒状袋は、その筒長手方向に複数個に分断するように複数箇所で接合されていて、筒長手方向に複数個のエアセルが形成されていることを特徴とする請求項１乃至４のいずれか１項に記載のエアセルユニット。
【請求項６】
前記閉端部は、前記筒状袋の端部を縦長になるように重ねて接合したものであり、その重ね合わせ部が、ベルトの先端部に係止部を有する形状に整形されており、この係止部は、隣接するエアセルの係止部同士を係合させて、隣接するエアセルを連結するために使用されることを特徴とする請求項１乃至５のいずれか１項に記載のエアセルユニット。
【請求項７】
前記請求項１乃至６のいずれか１項に記載のエアセルユニットから構成されたことを特徴とするエアマットレス。
【請求項８】
前記請求項１乃至６のいずれか１項に記載のエアセルユニットを、そのエアセルの筒長手方向に垂直の方向に並置して構成されたことを特徴とするエアマットレス。
【請求項９】
セル幅間に離隔して立設された縦型の対を、隣接する縦型対の相互間に一定の間隔をおいて複数対配置した下型部材と、前記縦型に夫々対向する縦型が配置された上型部材と、を備えた製造装置を使用し、
前記下型部材の上にエアセル用の第１シートを、前記各縦型の間及び隣接する前記縦型対の間に垂れ落とした状態で載置し、前記縦型の上の第１シートの上に前記縦型対の縦型の間を架け渡すように吊部用の複数個の第２シートを載置し、前記上型部材の前記縦型と前記下型部材の前記縦型との間で前記第１シートと前記第２シートとを挟圧して接合する工程と、
前記下型部材の前記縦型対の縦型の間の前記第１シートを下降させ、隣接する前記縦型対間の前記第１シートを最上位に位置させ、エアセル用の第３シートを前記下型部材の上に載置し、前記上型部材の前記縦型と前記下型部材の前記縦型との間で前記第１シートと前記第３シートとを挟圧して接合する工程と、
を有することを特徴とするエアセルユニットの製造方法。
【請求項１０】
セル幅間に離隔して立設された縦型の対を、隣接する縦型対の相互間に一定の間隔をおいて複数対配置した下型部材と、前記縦型に夫々対向する縦型が配置された上型部材と、を備えた製造装置を使用し、前記上型部材の前記縦型対の内部の上部にシート保持用の第１支持部を設け、前記上型部材の前記縦型対の相互間の下部にシート保持用の第２支持部を設け、
前記第１支持部及び第２支持部の上にエアセル用の第３シートを架け渡し、前記下型部材の前記縦型の上に吊部用の第２シートを載置し、前記上型部材の前記縦型と前記下型部材の前記縦型との間で前記第３シートと前記第２シートとを挟圧して接合する工程と、
前記上型部材の前記縦型対の相互間の第２支持部を下降させると共に、前記第１支持部の間の前記代３シートの部分を垂れ下げて、前記第２シートを持ち上げる工程と、
前記下型部材の前記縦型の上に、エアセル用の第１シートを載置し、前記上型部材の前記縦型と前記下型部材の前記縦型との間で前記第１シートと前記第３シートとを挟圧して接合する工程と、
を有することを特徴とするエアセルユニットの製造方法。
【請求項１１】
セル幅間に離隔して立設された縦型の対を、隣接する縦型対の相互間に一定の間隔をおいて複数対配置した下型部材と、前記縦型に夫々対向する縦型が配置された上型部材と、を備えた製造装置を使用し、前記上型部材の前記縦型対の内部の上部にシート保持用の第１支持部を設け、前記上型部材の前記縦型対の相互間の下部にシート保持用の第２支持部を設け、
前記第１支持部及び第２支持部の上にエアセル用の第３シートを架け渡し、前記下型部材の前記縦型の上にエアセル用の第１シートを架け渡し、前記第１シートと前記第３シートとの間における前記下型部材の前記縦型の上に吊部用の第２シートを載置し、前記上型部材の前記縦型と前記下型部材の前記縦型との間で前記第１シートと前記第２シートと前記第３シートとを挟圧して接合する工程を有することを特徴とするエアセルユニットの製造方法。
【手続補正２】
【補正対象書類名】明細書
【補正対象項目名】０００８
【補正方法】変更
【補正の内容】
【０００８】
本発明に係るエアセルユニットは、
２枚以上のシートを複数箇所で線状に接合して形成された複数個の筒状袋からなるエアセルと、
一方の前記シートに接合されて各前記エアセルの前記筒状袋の内部を上下に分離するように形成された吊部と、
前記エアセルの筒長手方向の両端部を閉じる閉端部と、
を有することを特徴とする。
本発明に係る他のエアセルユニットは、
２枚以上のシートを複数箇所で線状に接合して形成された複数個の筒状袋からなるエアセルと、
一方の前記シートに接合されて各前記エアセルの前記筒状袋の内部に配置された吊部と、
前記エアセルの筒長手方向の両端部を閉じる閉端部と、
を有し、
前記筒状袋における前記吊部の上方の気室と前記吊部の下方の気室とは、相互に連通していることを特徴とする。
【手続補正３】
【補正対象書類名】明細書
【補正対象項目名】０００９
【補正方法】変更
【補正の内容】
【０００９】
本発明に係る更に他のエアセルユニットは、
１枚の吊部用シートを間に挟んで２枚のシートを複数箇所で線状に接合して形成された複数個の筒状袋と、
前記筒状袋の筒長手方向の両端部を閉じる閉端部と、
を有することを特徴とする。
【手続補正４】
【補正対象書類名】明細書
【補正対象項目名】００３５
【補正方法】変更
【補正の内容】
【００３５】
本実施形態においては、先ず、図１１（ａ）に示すように、吊部用の第２シート１２ａを下型２３の作動型２３ａの上に載置する。また、エアセル用の第３シート１３ａを支持部２４ｂ、２４ｃ上に架け渡す。そして、上型２１の作動型２１ａを下型２３の作動型２３ａに押圧し、第２シート１２ａと第３シート１３ａに熱と応力とを印加することにより、第２シート１２ａと第３シート１３ａとを溶着する。次に、図１１（ｂ）に示すように、支持部２４ａ，２４ｃを下降させて、第２シート１２ａを持ち上げる。このとき、広間隔の作動型２１ａ間の第３シート１３ａは、支持部２４ｂ間に垂れ下がる。その後、下型２３の作動型２３ａ上に、第１シート１１ａを載置し、作動型２１ａを下降させて作動型２１ａと作動型２３ａとで第１シート１１ａと第３シート１３ａとを挟持して、熱と応力を印加してこれを溶着する。これにより、図１０に示すように、エアセル間の溶着部６ａが、エアセルの下部の下方の気室に位置するエアセルユニットが製造される。